(57)【特許請求の範囲】
【請求項１】
水路からの流水を導入する導水管と、当該導水管により導入された流水で回転するランナーと、これら導水管及びランナーを支持する筐体とを有する貫流水車において、前記導水管が前記筐体に対して着脱可能であると共に、筐体が複数の取り付け位置を有することを特徴とする貫流水車。
【請求項２】
水路からの流水を導入する導水管と、当該導水管により導入された流水で回転するランナーと、これら導水管及びランナーを支持する筐体とを有する貫流水車において、前記導水管を前記筐体に対して前記ランナーの回転軸を中心に回転及び固定可能に支持する支持手段を備えることを特徴とする貫流水車。
【請求項３】
前記支持手段は、前記導水管に設けられると共に前記筐体に対して前記ランナーの回転軸を中心に回転可能な回転板と、前記筐体に設けられた固定板と、これら回転板と固定板とを固定する固定手段とを備えることを特徴とする請求項２記載の貫流水車。
【請求項４】
前記支持手段は、前記導水管及び前記筐体の一方に設けられたスリットと、前記導水管及び前記筐体の他方に設けられると共に前記スリットに案内される挿入部材と、前記導水管及び前記筐体を固定する固定手段とを備えることを特徴とする請求項２記載の貫流水車。
【発明の詳細な説明】
【技術分野】
【０００１】
本発明は、導水管とランナーと筐体とを有する貫流水車に関する。さらに詳述すると、本発明は導水管の筐体に対する取り付け構造に関する。
【背景技術】
【０００２】
貫流水車のような、水路からの流水を導入する導水管と、当該導水管により導入された流水で回転するランナーと、これら導水管及びランナーが支持・設置される筐体とを備えた水車において、導水管と筐体との位置関係が唯一に固定されたものがある。例えば、特許文献１に記載の水車においては、取水口（導水管）が導水路部を形成する筐体と一体に形成されており、一方向からのみ水を導入することができるようになっている。
【０００３】
【特許文献１】特開平２−１９３０５号公報（図１）
【発明の開示】
【発明が解決しようとする課題】
【０００４】
しかしながら、特許文献１に記載の水車では導水管は筐体に対して唯一の固定位置で支持されており、導水管に水を導入する川などの水路は地形などによって形状が異なっていることから、それに合わせて導水管に水を導入するためには水を導入する方向に合わせて導水管と筐体とを組み立てたものを設置箇所ごとに個別に用意しなければならず、汎用性に欠ける。
【０００５】
これを解決するために導水管への水の導入方向を変更するためのエルボなどを取り付けることも考えられるが、これでは導水管の損失が増え、実水頭が下がって発電能力が低下する虞がある。
【０００６】
本発明の目的は、複数の方向から水を導入可能な貫流水車を提供することである。
【課題を解決するための手段及び発明の効果】
【０００７】
本発明の貫流水車は、水路からの流水を導入する導水管と、当該導水管により導入された流水で回転するランナーと、これら導水管及びランナーを支持する筐体とを有する貫流水車において、前記導水管が前記筐体に対して着脱可能であると共に、筐体が複数の取り付け位置を有する。
【０００８】
これによると、導水管は筐体に対していずれかの取り付け位置を選択して取り付けることにより、複数の方向から水を導入させることができる。したがって、水の導入方向にあわせて導水管の位置を変更して水路を最短距離にすることができる。これにより、貫流水車の汎用性が高くなると共に、エルボを用いる必要がなく損失を抑制することができる。また、導水管が筐体から分離可能であるので、導水管やランナーに引っ掛かっている塵を清掃することができる。
【０００９】
本発明の貫流水車は、水路からの流水を導入する導水管と、当該導水管により導入された流水で回転するランナーと、これら導水管及びランナーを支持する筐体とを有する貫流水車において、前記導水管を前記筐体に対して前記ランナーの回転軸を中心に回転及び固定可能に支持する支持手段を備える。
【００１０】
これによると、導水管は筐体に対して可動範囲内で任意の位置を選択して固定することにより、水路の方向に合わせて導水管の向きを変更することができる。
【００１１】
このとき、支持手段は、導水管に設けられると共に筐体に対してランナーの回転軸を中心に回転可能な回転板と、筐体に設けられた固定板と、これら回転板と固定板とを固定する固定手段とを備えていてもよい。これによると、導水管に回転板を設け、筐体に固定板を設けた簡単な構成により導水管を筐体に対して回転軸を中心として回転及び固定可能にすることができる。
【００１２】
又は、このとき、支持手段は、導水管及び筐体の一方に設けられたスリットと、導水管及び筐体の他方に設けられると共にスリットに案内される挿入部材と、導水管及び筐体を固定する固定手段とを備えていてもより。これによると、導水管及び筐体の一方にスリットを設け、他方にスリットに案内される挿入部材を設けるという簡単な構成により導水管を筐体に対して回転軸を中心として回転及び固定可能にすることができる。
【発明を実施するための最良の形態】
【００１３】
［第１の実施の形態］
以下、本発明の好適な第１の実施の形態について、図面を参照しつつ説明する。
【００１４】
図１は、第１の実施形態に係る貫流水車１を示す図である。図１において、貫流水車１は、水路からの流水を導入する導水管２と、当該導水管２により導入された流水で回転するランナー３と、これら導水管２及びランナー３を支持する筐体４とを有する。そして、導水管２は筐体４に対して着脱可能であると共に、複数の取り付け位置５〜７に取り付け可能となっている。
【００１５】
本実施形態では、取り付け位置として第１〜第３の取り付け穴を備えている。第１の取り付け穴５は筐体４の上面、第２及び第３の取り付け穴６，７は筐体４の側面に設けている。第１の取り付け穴５に対しては導水管２を２方向に取り付け可能であり、第２及び第３の取り付け穴６，７に対しては各１方向に取り付け可能である。また、導水管２と筐体４との固定はボルトやナット（図示せず）等によりなされている。なお、導水管２の位置変更に合わせてランナー３の向きも反転して合わせるようにする。
【００１６】
上述した貫流水車１を設置するときは、設置する地形に合わせて導水管２を筐体４に適した位置に固定する。これにより、導水管２を向けた方向から水が導入され、ランナー３が回転軸８を中心として回転する。
【００１７】
以上説明した第１の実施の形態によると、導水管２は筐体４に対していずれかの取り付け位置５、６、７を選択して取り付けることにより、複数の方向から水を導入させることができる。したがって、水の導入方向にあわせて導水管２の位置を変更して水路を最短距離にすることができる。これにより、貫流水車１の汎用性が高くなると共に、エルボを用いる必要がなくなり損失を抑制することができる。さらに、導水管２が筐体４から分離可能であるので、導水管２やランナー３に引っ掛かっている塵を清掃することができる。
【００１８】
以上、本発明の好適な第１の実施の形態について説明したが、本発明は上述の実施の形態に限られるものではなく、特許請求の範囲に記載した限りにおいて様々な設計変更が可能なものである。例えば、本実施形態では取り付け位置として３箇所の取り付け穴５〜７を備えて４つの位置に取り付けが可能であるが、これには限られず複数の位置に取り付け可能であればよく、例えば取り付け穴を２箇所、あるいは筐体４の上面に１箇所のみとしたり、取り付け穴を２箇所以上にして筐体４上面の取り付け穴では１方向のみに取り付け可能としてもよい。
【００１９】
［第２の実施の形態］
図２は、第２の実施形態に係る貫流水車１１を示す図であり、（Ａ）は側面図、（Ｂ）は正面図である。図２に示すように、貫流水車１１は、水路からの流水を導入する導水管１２と、当該導水管１２により導入された流水で回転するランナー１３と、これら導水管１２及びランナー１３を支持する筐体１４とを有する。そして、導水管１２を筐体１４に対してランナー１３の回転軸１８を中心に回転及び固定可能に支持する支持手段１９を備えている。
【００２０】
本実施形態では、支持手段１９は、導水管１２に設けられると共に筐体１４に対して回転軸１８を中心に回転可能な回転板２０と、筐体１４に設けられた固定板２１と、これら回転板２０と固定板２１とを固定する固定手段２２とを備えている。回転板２０は回転軸１８に対してベアリング２３により支持されている。固定手段２２としてはボルト及びナットを使用している。また、導水管１２の可動範囲は、導水管１２が筐体１４を貫通する穴の大きさを変更することで例えば０〜９０度など、適宜設定することができる。
【００２１】
上述した貫流水車１１を設置するときは、固定手段２２を解放して導水管１２を適した角度に位置させ固定手段２２により固定する。これにより、導水管１２を向けた方向から水が導入され、ランナー１３が回転軸１８を中心として回転する。
【００２２】
以上説明した第２の実施の形態によると、導水管１２を任意の角度に固定することによって、水の導入方向に合わせて導水管１２の位置を変更して水路を最短距離にすることができる。これにより、貫流水車１１の汎用性が高くなると共に、エルボなどを用いる必要がなくなり損失を抑制することができる。
【００２３】
以上、本発明の好適な第２の実施の形態について説明したが、本発明は上述の実施の形態に限られるものではなく、特許請求の範囲に記載した限りにおいて様々な設計変更が可能なものである。
【００２４】
［第３の実施の形態］
図３は、第３の実施の形態に係る貫流水車３１の側面図である。また、図４は、その分解斜視図である。図３及び図４において、貫流水車３１は、水路からの流水を導入する導水管３２と、当該導水管３２により導入された流水で回転するランナー３３と、これら導水管３２及びランナー３３を支持する筐体３４とを有する。そして、導水管３２を筐体３４に対してランナー３３の回転軸３８を中心に回転及び固定可能に支持する支持手段３９を備えている。
【００２５】
本実施形態では、支持手段３９は、導水管３２及び筐体３４の一方に設けられたスリット４３と、導水管３２及び筐体３４の他方に設けられると共にスリット４３に案内される挿入部材４４と、導水管３２及び筐体３４を固定する固定手段とを備えるようにしている。ここでは、スリット４３は筐体３４に、挿入部材４４は導水管３２に形成されている。
【００２６】
スリット４３はランナー３３の回転中心を中心とする円弧形状である。挿入部材４４はスリット４３の幅よりも僅かに小さい径を有するピンであり、２本設けられている。これにより、導水管３２はランナー３３の回転軸３８を中心として回転可能に支持される。導水管３２の可動範囲は、例えば０〜９０度など、適宜設定することができる。固定手段としてはボルト及びナットを使用している（図示せず）。
【００２７】
上述した貫流水車３１を設置するときは、固定手段を解放して導水管３２を適した角度に位置させ固定手段により固定する。これにより、導水管３２を向けた方向から水が導入され、ランナー３３が回転軸３８を中心として回転する。
【００２８】
以上説明した第３の実施の形態によると、導水管３２を任意の角度に固定することができるので水の導入方向にあわせて導水管３２の位置を変更して水路を最短距離にすることができる。これにより、貫流水車３１の汎用性が高くなると共に、エルボを用いる必要がなくなり損失を抑制することができる。
【００２９】
以上、本発明の好適な第３の実施の形態について説明したが、本発明は上述の実施の形態に限られるものではなく、特許請求の範囲に記載した限りにおいて様々な設計変更が可能なものである。例えば本実施形態ではスリット４３は筐体３４に、挿入部材４４は導水管３２に形成されているが、これには限られずスリット４３を導水管３２に、挿入部材４４を筐体３４に形成するようにしても良い。また、支持手段３９としてはスリット４３と挿入部材４４の組み合わせに限られず、所定角度ごとに設けられた穴と当該穴に挿入される挿入部材との組み合わせとしてもよい。
【図面の簡単な説明】
【００３０】
【図１】本発明の第１の実施形態による貫流水車を示す側面図である。
【図２】本発明の第２の実施形態による貫流水車を示す図であり、（Ａ）は正面図、（Ｂ）は側面図である。
【図３】本発明の第３の実施形態による貫流水車を示す側面図である。
【図４】本発明の第３の実施形態による貫流水車を示す分解斜視図である。
【符号の説明】
【００３１】
１  貫流水車
２  導水管
３  ランナー
４  筐体
５，６，７  取り付け位置
８  回転軸
９  支持手段
１１  貫流水車
１２  導水管
１３  ランナー
１４  筐体
１８  回転軸
２０  回転板
２１  固定板
２２  固定手段
３１  貫流水車
３２  導水管
３３  ランナー
３４  筐体
３８  回転軸
４３  スリット
４４  挿入部材
【図１】
0004670534.tif 000002
【図２】
0004670534.tif 000003
【図３】
0004670534.tif 000004
【図４】
0004670534.tif 000005